(57)【要約】【課題】断熱性能が低下するのを防止することが可能な温水器および真空ジャケットを得る。【解決手段】温水器１００は、タンク１０と、タンク１０の内部に配置されるヒータ３０と、下側が開口２４した筒状であってタンク１０を覆う真空ジャケット２０と、真空ジャケット２０の開口２４側においてヒータ３０からの伝導熱を受熱する箇所に設けられる温度過昇防止装置４０と、を備える。また、温水器１００は、真空ジャケット２０の開２４口を閉塞する遮蔽板と、を備えていても良い。また、真空ジャケット２０には、内筒２１および外筒２２の少なくとも一方の先端を延ばした部分２６にネジ孔２７が設けられていても良い。【選択図】図１
2012193917.tif 000002
【特許請求の範囲】
【請求項１】
タンクと、
前記タンクの内部に配置されるヒータと、
下側が開口した筒状であって前記タンクを覆う真空ジャケットと、
前記真空ジャケットの開口側において前記ヒータからの伝導熱を受熱する箇所に設けられる温度過昇防止装置と、を備えることを特徴とする、温水器。
【請求項２】
内筒および外筒の少なくとも一方の先端を延ばした部分に固定部を設けることを特徴とする、真空ジャケット。
【請求項３】
タンクと、
下側が開口した筒状であって前記タンクを覆う真空ジャケットと、
前記真空ジャケットの開口を閉塞する遮蔽板と、を備えることを特徴とする、温水器。
【発明の詳細な説明】
【技術分野】
【０００１】
本発明は、給湯機により加熱された水を一時的に貯留するタンクを有する温水器、及び、当該タンクを覆う真空ジャケットに関する。
【背景技術】
【０００２】
従来、タンクを真空ジャケットで覆う温水器が提案されている（例えば、特許文献１参照）。この特許文献１には、温水容器と真空ジャケットとを一体的に構成した温水器が開示されている。
【先行技術文献】
【特許文献】
【０００３】
【特許文献１】特表２００２−５４２４４７号公報
【発明の概要】
【発明が解決しようとする課題】
【０００４】
ところで、一般的な温水器には、空炊き防止のために温度過昇防止装置が設けられている。この温度過昇防止装置が作動した場合、使用者が安全性を確認した上で、当該温度過昇防止装置を手動で復帰させる必要がある。温水器において、温度過昇防止装置は、通常、タンクの上面に取り付けられているが、手動復帰のためには、真空ジャケットに温度過昇防止装置を操作するための貫通孔を設けなければならない。しかしながら、真空ジャケットに貫通孔を設けると、当該真空ジャケットによる断熱性能が低下するという問題があった。また、真空ジャケットの真空構造を担保しながら貫通孔を設けることは、真空ジャケットの構造が複雑になると共に、真空ジャケットのコストアップにつながっていた。
【０００５】
そこで、本発明は、断熱性能が低下するのを防止することが可能な温水器および真空ジャケットを提供することを目的とする。また、本発明のもう一つの目的は、真空ジャケットのコストダウンを図ることである。
【課題を解決するための手段】
【０００６】
（１）
本発明に係る温水器は、タンクと、ヒータと、真空ジャケットと、温度過昇防止装置とを備えている。ヒータは、タンクの内部に配置される。真空ジャケットは、下側が開口した筒状であってタンクを覆っている。温度過昇防止装置は、真空ジャケットの開口側においてヒータからの伝導熱を受熱する箇所に設けられる。
【０００７】
上記構成によれば、真空ジャケットの開口側に温度過昇防止装置が設けられるので、当該真空ジャケットに温度過昇防止装置を操作するための貫通孔を設ける必要がない。これにより、真空ジャケットの断熱性が低下するのを防止することができる。
また、貫通孔を設ける工程を省略できるので、真空ジャケットのコストダウンを図ることができる。
また、上記構成によれば、温度過昇防止装置をヒータからの伝導熱を受熱する箇所に設けることによって、真空ジャケットに貫通孔を設けなくても、ヒータの温度過昇を検知することができる。
【０００８】
（２）
また、本発明に係る真空ジャケットには、内筒および外筒の少なくとも一方の先端を延ばした部分に固定部が設けられる。
【０００９】
上記構成によれば、真空ジャケットの端部を固定部として利用することができる。これにより、真空ジャケットを直接的に固定することができるので、真空ジャケットの固定強度が向上する。また、真空ジャケットの固定構造が簡単になるので、組立性が向上すると共に、メンテナンス性が向上する。
【００１０】
（３）
また、本発明に係る温水器は、タンクと、下側が開口した筒状であってタンクを覆う真空ジャケットと、真空ジャケットの開口を閉塞する遮蔽板と、を備える。
【００１１】
上記構成によれば、真空ジャケットの開口を遮蔽板により閉塞することができる。これにより、真空ジャケットとタンクとの間に存在する空気の対流を抑制することができるので、真空ジャケットによる断熱性能が向上する。
【図面の簡単な説明】
【００１２】
【図１】本発明の第１実施形態に係る温水器の内部構成を示した断面図である。
【図２】本発明の第２実施形態に係る温水器の内部構成を示した断面図である。
【図３】本発明の第３実施形態に係る温水器の内部構成を示した断面図である。
【図４】本発明の変形例に係る真空ジャケットの延在部分と本体との取付構造を示した正面図である。
【発明を実施するための形態】
【００１３】
以下、本発明の実施形態に係る温水器について図面を参照しながら説明する。
【００１４】
＜第１実施形態＞
第１実施形態に係る温水器１００は、洗面化粧台の下部に設置され、給湯機（図示せず）により加熱された水を一時的に貯留する装置である。温水器１００に貯留される温水は、洗面化粧台の蛇口から放出される。この温水器１００は、図１に示すように、主として、給湯機により加熱された水を貯留するタンク１０と、タンク１０を覆う真空ジャケット２０と、タンク１０の下部に配置されるヒータ３０と、空炊きを防止するための温度過昇防止装置４０と、を備えている。
【００１５】
タンク１０の下部には、給湯機により加熱された水をタンク１０内に導入するためのバルブ５０が接続されている。このタンク１０の下部には、ヒータ３０が設けられており、ヒータ３０の加熱部がタンク１０の内部に配置されている。これにより、タンク１０の下部の水がヒータ３０により加熱される。このヒータ３０は、給湯機により加熱された水を一定温度に保つための補助的なヒータであって、ヒータ３０の通電のＯＮおよびＯＦＦは、タンク１０の側面に取り付けられる自動温度調節器６０により制御される。
【００１６】
上記したタンク１０は、真空ジャケット２０により覆われている。この真空ジャケット２０は、図１の拡大図に示すように、内筒２１と外筒２２とを有している。そして、内筒２１と外筒２２との間には、真空層２３が形成されている。真空ジャケット２０は、下部が開口した円筒形状を呈している。そして、真空ジャケット２０の開口２４（図１の２点鎖線参照）は、タンク１０の下端位置Ｂより下方に配置されている。そして、本実施形態では、真空ジャケット２０の真空層２３は、タンク１０の下端位置Ｂより下方まで延在する（真空層２３の下端位置Ｃを参照）。すなわち、タンク１０は、真空ジャケット２０の真空層２３により、側面部分および天面部分が覆われる。
【００１７】
ここで、本実施形態では、図１の拡大図に示すように、真空ジャケット２０の内筒２１は、外筒２２との接合部分２５より下側に延在している。そして、内筒２１の延在部分２６には、ネジ８０を締結するためのネジ孔２７が形成されている。真空ジャケット２０は、上記したバルブ５０等を収容する本体７０に固定される。具体的には、本体７０の側壁７１と真空ジャケット２０の延在部分２６とを重ねた状態で、側壁７１のネジ通過孔７２を介して延在部分２６のネジ孔２７にネジ８０を締結する。これにより、真空ジャケット２０と本体７０とが固定される。
【００１８】
また、本実施形態では、真空ジャケット２０の開口２４側においてヒータ３０からの伝導熱を受熱する箇所に温度過昇防止装置４０が設けられている。具体的には、タンク１０の下部に設けられるヒータ３０の端子部３１に、金属製の伝熱板９０が固定されており、当該伝熱板９０にサーモ固定板９１が接合される。そして、当該サーモ固定板９１に温度過昇防止装置４０が固定される。これにより、ヒータ３０に係る熱が、ヒータ３０の端子部３１、伝熱板９０およびサーモ固定板９１を介して、温度過昇防止装置４０に伝達される。その結果、温度過昇防止装置４０がヒータ３０の温度過昇を検知可能となる。
【００１９】
この温度過昇防止装置４０は、ヒータ３０による空炊きを防止する機能を有しており、空炊きが発生した場合に、ヒータ３０の通電を停止させる。このヒータ３０の通電停止を解除するには（正常状態に戻すには）、温度過昇防止装置４０を手動で操作する必要がある。なお、本体７０の側壁７１には、温度過昇防止装置４０を手動で操作するための貫通孔７３が形成されており、使用者は当該貫通孔７３から温度過昇防止装置４０を操作する。
【００２０】
＜第１実施形態の温水器及び真空ジャケットの効果＞
上記した第１実施形態において、温水器１００は、真空ジャケット２０の開口２４側に温度過昇防止装置４０が設けられるので、当該真空ジャケット２０に温度過昇防止装置４０を操作するための貫通孔（貫通孔７３に相当するもの）を設ける必要がない。これにより、真空ジャケット２０の断熱性が低下するのを防止することができる。
【００２１】
また、本実施形態では、真空ジャケット２０に貫通孔（貫通孔７３に相当するもの）を設ける工程を省略することができるので、真空ジャケット２０のコストダウンを図ることができる。本実施形態では、貫通孔７３が本体７０に設けられるので、真空を担保しなければならない真空ジャケット２０に貫通孔を形成するのに比べて、貫通孔７３を形成することが非常に容易になる。
【００２２】
また、本実施形態において、温度過昇防止装置４０をヒータ３０からの伝導熱を受熱する箇所に設けることによって、貫通孔の無い真空ジャケット２０を用いても、ヒータ３０の温度過昇を検知することができる。
【００２３】
また、本実施形態において、真空ジャケット２０の延在部分２６にネジ孔２７を形成することによって、延在部分２６を本体７０との固定手段として利用することができる。これにより、真空ジャケット２０を直接的に本体７０に固定することができるので、真空ジャケット２０の固定強度が向上する。
【００２４】
また、本実施形態において、真空ジャケット２０の延在部分２６に固定部（ネジ孔２７）を設けることによって、真空ジャケット２０の固定構造が簡単になり、組立性が向上すると共にメンテナンス性が向上する。
【００２５】
また、本実施形態において、水圧が加わるタンク１０と真空ジャケット２０とを別体で構成することによって、タンク１０と真空ジャケット２０とを一体的に構成するのに比べて、品質安全性が向上する。
【００２６】
また、本実施形態において、温度過昇防止装置４０をタンク１０の下部側に配置することにより、ヒータ３０の端子部３１の近傍に温度過昇防止装置４０が配置される。これにより、配線の引き回しが簡単になる。
【００２７】
＜第２実施形態＞
次に、図２を参照して、本発明の第２実施形態に係る温水器１００ａについて説明する。この第２実施形態に係る温水器１００ａは、真空ジャケット２０の開口２４を閉塞する遮蔽板９５ａを取り付けたこと以外は、上記した第１実施形態に係る温水器１００と同様であるので、遮蔽板９５ａ以外の構成は、第１実施形態と同様の符号を付し、その説明を省略する。
【００２８】
第２実施形態の温水器１００ａは、図２の拡大図に示すように、真空ジャケット２０の開口２４を閉塞する遮蔽板９５ａを備えている。この遮蔽板９５ａは、タンク１０の下端位置Ｂより下側、且つ、真空ジャケット２０の下端（開口２４の位置（図２中の２点鎖線で示す位置））より上側、に設けられている。
【００２９】
＜第２実施形態の温水器及び真空ジャケットの効果＞
上記構成により、第２実施形態の温水器１００ａでは、真空ジャケット２０の開口２４を遮蔽板９５ａにより閉塞することができる。これにより、真空ジャケット２０とタンク１０との間に存在する空気の対流を抑制することができるので、真空ジャケット２０による断熱性能が向上する。
【００３０】
また、第２実施形態の温水器１００ａは、第１実施形態の温水器１００と同様の特徴を有しているので、第１実施形態の温水器１００の効果と同様の効果を奏する。
【００３１】
＜第３実施形態＞
次に、図３を参照して、本発明の第３実施形態に係る温水器１００ｂについて説明する。この第３実施形態に係る温水器１００ｂは、温度過昇防止装置４０の取付位置をタンク１０に近接させたこと以外は、上記した第２実施形態に係る温水器１００ａと同様であるので、温度過昇防止装置４０の取付位置以外の構成は、第２実施形態と同様の符号を付し、その説明を省略する。
【００３２】
第３実施形態の温水器１００ｂでは、真空ジャケット２０の開口２４側においてヒータ３０からの伝導熱を受熱する箇所に温度過昇防止装置４０が設けられている。具体的には、タンク１０の下部に設けられるヒータ３０の端子部３１に、金属製の伝熱板９０ｂが固定されており、当該伝熱板９０ｂにサーモ固定板９１が接合される。そして、当該サーモ固定板９１に温度過昇防止装置４０が固定される。
【００３３】
そして、本実施形態では、図３の拡大図に示すように、伝熱板９０ｂの温度過昇防止装置４０が取り付けられる部分９６ｂが、タンク１０に近接するように屈曲されている。これにより、温度過昇防止装置４０がタンク１０に近接して、温度過昇防止装置４０がタンク１０の輻射熱の影響を受ける。なお、屈曲部分９６ｂに取り付けられる温度過昇防止装置４０は、遮蔽板９５ａより上側に取り付けられている。すなわち、温度過昇防止装置４０は、真空ジャケット２０および遮蔽板９５ａにより囲まれる領域に配置される。
【００３４】
＜第３実施形態の温水器及び真空ジャケットの効果＞
上記構成により、第３実施形態の温水器１００ｂでは、温度過昇防止装置４０をタンク１０に近接させることができるので、温度過昇防止装置４０がヒータ３０からの伝導熱だけでなくタンク１０からの輻射熱を受熱する。これにより、第３実施形態の温度過昇防止装置４０は、第１実施形態および第２実施形態の温度過昇防止装置４０に比べて、ヒータ３０およびタンク１０の温度過昇を即座に検知することができるので、感熱応答性が良好となる。
【００３５】
また、第３実施形態の温水器１００ｂは、第２実施形態の温水器１００ａと同様の特徴を有しているので、第２実施形態の温水器１００ａの効果と同様の効果を奏する。
【００３６】
＜請求項の各構成要素と上記実施形態の各部との対応関係＞
上記実施形態においては、温水器１００，１００ａ，１００ｂが「温水器」に相当し、タンク１０が「タンク」に相当し、ヒータ３０が「ヒータ」に相当し、真空ジャケット２０および後述する真空ジャケット２０ｃが「真空ジャケット」に相当し、温度過昇防止装置４０が「温度過昇防止装置」に相当し、内筒２１が「内筒」に相当し、外筒２２が「外筒」に相当し、延在部分２６および後述する延在部分２６ｃが「内筒および外筒の少なくとも一方の先端を延ばした部分」に相当し、ネジ孔２７および後述するネジ部２７ｃが「固定部」に相当し、遮蔽板９５ａが「遮蔽板」に相当する。
【００３７】
以上、本発明の実施形態および実施例について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味及び範囲内でのすべての変更が含まれる。
【００３８】
例えば、第１実施形態では、延在部分２６にネジ孔２７を設ける例について説明したが、本発明はこれに限らず、図４に示した変形例に示すように、内筒および外筒の少なくとも一方を延ばした延在部分２６ｃの外周面にネジ部（雄ネジ）２７ｃを形成しても良い。この真空ジャケット２０ｃを用いる場合、本体７０ｃの取付部７３ｃの内周面にも、ネジ部（雌ネジ）７４ｃを形成する必要がある。
【００３９】
図４に示した変形例の構成によれば、真空ジャケット２０ｃの一部である延在部分２６ｃを本体７０ｃとの固定手段として利用することができる。これにより、真空ジャケット２０ｃを直接的に本体７０ｃに固定することができるので、真空ジャケット２０ｃの固定強度が向上する。
【００４０】
また、第１実施形態では、真空ジャケット２０の内筒２１を外筒２２より下側に延在させることにより延在部分２６を形成したが、本発明はこれに限らず、外筒２２を内筒２１より下側に延在させても良いし、内筒２１および外筒２２の両方を下側に延在させても良い。そして、当該延在部分にネジ孔又はネジ部（雄ネジまたは雌ネジ）を設けることができる。
【産業上の利用可能性】
【００４１】
本発明を利用することによって、断熱性能が低下するのを防止することが可能な温水器を得ることができる。また、本発明を利用することによって、真空ジャケットのコストダウンを図ることができる。また、本発明を利用することによって、組立性が向上すると共に、メンテナンス性が向上する。
【符号の説明】
【００４２】
１００，１００ａ，１００ｂ  温水器
１０  タンク
２０，２０ｃ  真空ジャケット
２１  内筒
２２  外筒
２６，２６ｃ  延在部分
２７  ネジ孔
２７ｃ  ネジ部
３０  ヒータ
４０  温度過昇防止装置
７０  本体
７３  貫通孔
９０，９０ｂ  伝熱板
９１  サーモ固定板
９５ａ  遮蔽板
【図１】
2012193917.tif 000003
【図２】
2012193917.tif 000004
【図３】
2012193917.tif 000005
【図４】
2012193917.tif 000006